(57)【要約】      （修正有）【課題】パソコンのキー入力ができない人あるいは不得意な人でも、ホームページの発信や更新が可能となる。【解決手段】ホームページ作成者が、ホームページ作成者端末でホームページ作成データをマイクから発声すると、音声をウェブで活用できるテキストデータに変換し、そのテキストデータと音声データをウェブサーバに送信登録し、管理者がその登録データを管理端末からアクセスし、発声した音声を再生してテキストデータと照合し、修正してウェブサーバのコンテンツマネージメントシステムによって正式なホームページの発信をする。【選択図】図１
2012033131.tif 000002
【特許請求の範囲】
【請求項１】
音声入力を可能とするマイクが接続されたホームページ作成者端末とウェブサーバと管理者端末が通信回線に接続されて成る音声入力ホームページ発信管理システムであって、
前記ホームページ作成者端末は、音声受信部と音声認識部とテキスト入力生成部と音声ファイル生成部とデータ送信部を有し、
前記音声入力を可能とするマイクから入力された音声を前記音声受信部で受信し、前記音声認識部と前記音声ファイル生成部に送信し、
前記音声認識部は、前記音声受信部から受信した前記マイクから入力された音声をテキストデータに変換し、前記テキスト入力生成部に送信し、
前記テキスト入力生成部は、前記音声認識部から受信した該テキストデータをウェブテキストデータに変換し、該ウェブテキストデータを前記データ送信部に送信し、
一方、前記音声ファイル生成部に送られた前記マイクから入力された音声は、前記音声ファイル生成部でウェブ上で再生可能な音声ファイルとして保存され、前記データ送信部に送信し、
前記データ送信部は、該音声ファイルと前記ウェブテキストデータを前記ウェブサーバに送信し、
前記ウェブサーバは、データ受信部と、ウェブデータ部とテキストデータ照合部を有し、該データ受信部で、前記データ送信部から送信された前記音声ファイルと前記ウェブテキストデータを受信し、該受信した前記音声ファイルと前記ウェブテキストデータを前記ウェブデータ部に送信し、
前記ウェブデータ部に前記音声ファイルと前記ウェブテキストデータが保存され、
該音声ファイルとウェブテキストデータが保存されると同時に、
前記テキストデータ照合部に前記音声ファイルと前記ウェブテキストデータが表示されたデータ一覧表示画面が生成され、
前記管理者端末から、該管理者端末の管理者が通信回線を介して前記ウェブサーバの前記テキストデータ照合部の該データ一覧表示画面にアクセスすると、
前記管理者端末に該データ一覧表示画面が表示され、管理者端末の管理者が、前記音声ファイルを再生し、別途、該データ一覧表示画面に表示された前記ウェブテキストデータと相違を照合し、前記ウェブテキストデータのテキストを修正することを可能とし、
修正した前記ウェブテキストデータを修正後ウェブテキストデータとして前記テキストデータ部に保存し、修正後ウェブテキストデータを前記ウェブデータ部が有するウェブコンテンツシステム部からインターネットに発信することを可能とすることを特徴とする音声入力ホームページ発信管理システム。
【請求項２】
前記ウェブデータ部は、異なる複数のホームページ作成者がある場合に、前記ウェブサーバに複数設置することを可能とし、音声ファイルデータ部とテキストデータ部とウェブコンテンツシステム部を有し、
前記音声ファイルデータ部は、通信回線を介して再生することを可能とする音声ファイルを保存することを可能とするデータベースであり、該音声ファイルは、前記ウェブコンテンツシステム部から、インターネットに発信することを可能とし、
前記テキストデータ部は、前記ホームページ作成者端末からの前記ウェブテキストデータと管理者端末から、前記テキストデータ照合部で照合修正された前記修正後ウェブテキストデータを保存することを可能とするデータベースであり、
ウェブコンテンツシステム部は、テキストや画像や音声や映像を追加、修正、インターネットに発信するシステム機能を有することを特徴とする請求項１に記載の音声入力ホームページ発信管理システム。
【請求項３】
前記テキストデータ照合部は、テキスト表示部と音声出力部とを有するテキスト・音声データ表示生成部と文字修正生成部を有し、
テキスト・音声データ表示生成部は、送信日時やホームページ作成者や、ホームページのアドレスや、送信した題名及び内容や、音声ファイル表示を管理するデータ一覧表示画面として生成し、
前記管理者端末の管理者が、該データ一覧表示画面にアクセスすることにより、
前記ホームページ作成者端末で音声からウェブテキストデータに変換され、前記ウェブサーバの前記ウェブデータ部の前記テキストデータ部に保存された前記ウェブテキストを前記テキスト表示部に表示することを可能とし、
前記音声出力部は、前記ウェブサーバの前記ウェブデータ部の前記音声ファイルデータ部に保存された前記音声ファイルを再生することを可能とし、
前記管理者端末の管理者が、該再生された前記音声ファイルの音声と前記テキスト表示部に表示された前記ウェブテキストとの相違を照合することを可能とし、前記ウェブテキストを音声に合った正しいテキストに修正し、前記文字修正生成部で修正後のウェブテキストを修正後ウェブテキストデータとして、前記テキスト表示部に表示し、
前記管理者端末の管理者が前記修正後ウェブテキストデータを前記テキスト表示部に表示された確認・実行操作を実施することによって、前記ウェブデータ部の前記テキストデータ部に保存されることを特徴とする請求項１及び請求２のいずれかに記載の音声入力ホームページ発信管理システム。
【請求項４】
前記管理者端末の管理者が前記修正後ウェブテキストデータを前記テキスト表示部に表示された確認・実行操作を実施することによって、
同時に、前記修正後ウェブテキストデータを前記ウェブサーバのメール送信部に送信し、該メール送信部から該修正後ウェブテキストデータを通信を介して、前記ホームページ作成者端末のメール受信部に送信することを可能とすることを特徴とする請求項１〜請求項３に記載の音声入力ホームページ発信管理システム。
【請求項５】
前期ホームページ作成者端末には、データ入力・表示処理部があり、該データ入力・表示処理部には、前期テキスト入力生成部があり、
前記ウェブサーバは、データ受信感知部を有し、前記データ受信部で受信した前記テキスト入力生成部で生成された前記ウェブテキストデータが前記ウェブサーバの前記データ受信部で受信すると受信信号を該データ受信感知部に送信し、該データ受信感知部から通信回線を介して前記管理者端末のデータ感知受信部に送信することを可能とすることを特徴とする請求項１〜請求項４に記載の音声入力ホームページ発信管理システム。
【請求項６】
前記ウェブサーバの前記データ受信感知部は、前記データ受信部で受信した前記テキスト入力生成部で生成された前記ウェブテキストデータが前記ウェブサーバの前記データ受信部で受信すると前記ウェブテキストデータのテキストデータを前記メール送信部に送信し、メール送信部から通信回線を介して前記管理者端末のメール受信部に送信することを可能とすることを特徴とする請求項１〜請求項５に記載の音声入力ホームページ発信管理システム。
【請求項７】
前記ホームページ作成者端末は、音声受信部と音声認識部とテキスト入力生成部を有するデータ入力・表示処理部とデータ送信部と音声操作部を有し、前記ホームページ作成者端末の管理者が、データ入力・表示処理部やデータ送信部のプログラムの操作を前記ホームページ作成者端末に接続されたマイクから音声で行うと音声受信部で該音声を受信し、該音声の信号を音声認識部を経由して、音声操作部に送信し、該信号によってデータ入力・表示処理部とデータ送信部の操作を実施することを可能とすることを特徴とする請求項１〜請求項６に記載の音声入力ホームページ発信管理システム。
【請求項８】
前記ホームページ作成者端末の前記音声認識部と、前記文字入力生成部を有する前記データ入力・表示処理部と前記音声ファイル生成部は、音声データ処理部として前記ウェブサーバに有る構成として、
前記音声認識部は、前記音声受信部から受信した前記マイクから入力された音声を前記データ送信部に送信し、通信回線を介して前記ウェブサーバの前記データ受信部に送信し、音声データ処理部で前記マイクから入力された音声を、ウェブテキストデータに変換処理と音声ファイルを生成し、送信保存される構成であり、前記データ入力・表示処理部は、前記ホームページ作成者端末からの前記ウェブサーバへのアクセスにより、前記ホームページ作成者端末から通信を介して操作することを可能とすることを特徴とする請求項１〜請求項７のいずれかに記載の音声入力ホームページ発信管理システム。
【発明の詳細な説明】
【技術分野】
【０００１】  本発明は、インターネット等の通信回線を利用し、ホームページ発信者が、マイクが接続されたホームページ作成管理者端末から、音声を入力するとウェブテキストと音声ファイルが生成され、ウェブサーバに送信され、別途、管理者が管理者端末から、ウェブテキストと音声ファイルを照合し、正しく修正してインターネット上に発信することを可能とする音声入力によるホームページ発信管理システムに関するものである。なお、本願の明細書及び図面中では、「ホームページ」を「ウェブ」とも記載する。また、「ホームページ作成者端末」を「作成者端末」とも記載する。
【背景技術】
【０００２】  近年、インターネットの普及によりテキストや画像を容易に管理でき、ホームページの作成や更新を容易に可能とするコンテンツマネージメントシステムが利用されている。
また、音声入力により、テキストを生成する技術やインターネット等を介して音声を文字に変換して、ホームページを検索するサービスやメールを送信するサービスが利用されている。インターネット等の通信回線が発達した社会において、テキストを入力するだけでホームページを生成する技術やホームページのテキストを音声で出力する技術は既にある。また、ホームページを作成するためのテキスト入力は、パソコンでのキーボード入力やパソコン表示画面上でのタッチ式のキー入力による方法が利用されている。
【発明の開示】
【発明が解決しようとする課題】
【０００３】しかしながら、ホームページを発信する場合にテキスト入力において零細企業や農業者や手の不自由な障害者等は、パソコンのキーボードやタッチ式のタッチキーにより入力ができない、不得意というデジタル・デバイドの問題があり、ホームページを発信できない、発信しても頻繁な更新ができないという問題がある。【０００４】  また、音声認識システムにより音声をテキストに変換する方法はあるが音声認識システムは、方言や音声の強弱、音声に対する複数の単語の存在、周囲の雑音等で入力される音声によって正確なテキスト変換がされないという欠点を持つ。インターネットに発信する場合、ホームページの検索や特定の相手へのメール送信とは異なり、多数のインターネット利用者に閲覧されるため正確な文章で発信されることが必要となるため、音声認識システムによるテキスト入力の方法によるホームページ発信及びコンテンツマネージメントシステムは、現在、実用化されていない。【０００５】  そこで、本発明は、ホームページの作成者が、ホームページを作成及び更新するためにマイクが接続されたホームページ作成者端末で、マイクでニュースの題名や文章を発声すると音声をウェブで活用できるテキストデータに変換すること及び音声をウェブで再生できる音声ファイルに変換保存して、そのテキストデータと音声データをウェブサーバに送信登録し、データを管理する管理者が管理者端末から登録されたホームページ作成者のテキストデータと音声データの一覧表示画面にアクセスを可能とし、実際にホームページ作成者が発声した実際の音声を再生して登録されたテキストデータと相違していることを照合し、修正しウェブサーバのコンテンツマネージメントシステムによって正式なホームページの発信を可能とすることを目的とする。【０００６】  さらに、ホームページ作成者の作成したテキストデータを即時的に発信するため、ホームページ作成者がホームページ作成登録を行ったことをサーバーで感知し、データを管理する管理者の管理者端末に音声等で知らせるほか、メールが送られることにより、管理者及びホームページ作成者が登録したテキストデータと音声データの照合を即時的に行うことをできるようにすることを目的とする。
【課題を解決するための手段】
【０００７】  本発明は上記課題を解決するために、
音声入力を可能とするマイクが接続されたホームページ作成者端末とウェブサーバと管理者端末が通信回線に接続されて成る音声入力ホームページ発信管理システムであって、
前記ホームページ作成者端末は、音声受信部と音声認識部とテキスト入力生成部と音声ファイル生成部とデータ送信部を有し、
前記音声入力を可能とするマイクから入力された音声を前記音声受信部で受信し、前記音声認識部と前記音声ファイル生成部に送信し、
前記音声認識部は、前記音声受信部から受信した前記マイクから入力された音声をテキストデータに変換し、前記テキスト入力生成部に送信し、
前記テキスト入力生成部は、前記音声認識部から受信した該テキストデータをウェブテキストデータに変換し、該ウェブテキストデータを前記データ送信部に送信し、
一方、前記音声ファイル生成部に送られた前記マイクから入力された音声は、前記音声ファイル生成部でウェブ上で再生可能な音声ファイルとして保存され、前記データ送信部に送信し、
前記データ送信部は、該音声ファイルと前記ウェブテキストデータを前記ウェブサーバに送信し、
前記ウェブサーバは、データ受信部と、ウェブデータ部とテキストデータ照合部を有し、該データ受信部で、前記データ送信部から送信された前記音声ファイルと前記ウェブテキストデータを受信し、該受信した前記音声ファイルと前記ウェブテキストデータを前記ウェブデータ部に送信し、
前記ウェブデータ部に前記音声ファイルと前記ウェブテキストデータが保存され、
該音声ファイルとウェブテキストデータが保存されると同時に、
前記テキストデータ照合部に前記音声ファイルと前記ウェブテキストデータが表示されたデータ一覧表示画面が生成され、
前記管理者端末から、該管理者端末の管理者が通信回線を介して前記ウェブサーバの前記テキストデータ照合部の該データ一覧表示画面にアクセスすると、
前記管理者端末に該データ一覧表示画面が表示され、管理者端末の管理者が、前記音声ファイルを再生し、別途、該データ一覧表示画面に表示された前記ウェブテキストデータと相違を照合し、前記ウェブテキストデータのテキストを修正することを可能とし、
修正した前記ウェブテキストデータを修正後ウェブテキストデータとして前記テキストデータ部に保存し、修正後ウェブテキストデータを前記ウェブデータ部が有するウェブコンテンツシステム部からインターネットに発信することを可能とすることを特徴とする音声入力ホームページ発信管理システムを提供する。【０００８】前記ウェブデータ部は、異なる複数のホームページ作成者がある場合に、前記ウェブサーバに複数設置することを可能とし、音声ファイルデータ部とテキストデータ部とウェブコンテンツシステム部を有し、
前記音声ファイルデータ部は、通信回線を介して再生することを可能とする音声ファイルを保存することを可能とするデータベースであり、該音声ファイルは、前記ウェブコンテンツシステム部から、インターネットに発信することを可能とし、
前記テキストデータ部は、前記ホームページ作成者端末からの前記ウェブテキストデータと管理者端末から、前記テキストデータ照合部で照合修正された前記修正後ウェブテキストデータを保存することを可能とするデータベースであり、
ウェブコンテンツシステム部は、テキストや画像や音声や映像を追加、修正、インターネットに発信するシステム機能を有することを特徴とする。【０００９】前記テキストデータ照合部は、テキスト表示部と音声出力部とを有するテキスト・音声データ表示生成部と文字修正生成部を有し、
テキスト・音声データ表示生成部は、送信日時やホームページ作成者や、ホームページのアドレスや、送信した題名及び内容や、音声ファイル表示を管理するデータ一覧表示画面として生成し、
前記管理者端末の管理者が、該データ一覧表示画面にアクセスすることにより、
前記ホームページ作成者端末で音声からウェブテキストデータに変換され、前記ウェブサーバの前記ウェブデータ部の前記テキストデータ部に保存された前記ウェブテキストを前記テキスト表示部に表示することを可能とし、
前記音声出力部は、前記ウェブサーバの前記ウェブデータ部の前記音声ファイルデータ部に保存された前記音声ファイルを再生することを可能とし、
前記管理者端末の管理者が、該再生された前記音声ファイルの音声と前記テキスト表示部に表示された前記ウェブテキストとの相違を照合することを可能とし、前記ウェブテキストを音声に合った正しいテキストに修正し、前記文字修正生成部で修正後のウェブテキストを修正後ウェブテキストデータとして、前記テキスト表示部に表示し、
前記管理者端末の管理者が前記修正後ウェブテキストデータを前記テキスト表示部に表示された確認・実行操作を実施することによって、前記ウェブデータ部の前記テキストデータ部に保存されることを特徴とする。【００１０】前記管理者端末の管理者が前記修正後ウェブテキストデータを前記テキスト表示部に表示された確認・実行操作を実施することによって、
同時に、前記修正後ウェブテキストデータを前記ウェブサーバのメール送信部に送信し、該メール送信部から該修正後ウェブテキストデータを通信を介して、前記ホームページ作成者端末のメール受信部に送信することを可能とすることを特徴とする。【００１１】前期ホームページ作成者端末には、データ入力・表示処理部があり、該データ入力・表示処理部には、前期テキスト入力生成部があり、
前記ウェブサーバは、データ受信感知部を有し、前記データ受信部で受信した前記テキスト入力生成部で生成された前記ウェブテキストデータが前記ウェブサーバの前記データ受信部で受信すると受信信号を該データ受信感知部に送信し、該データ受信感知部から通信回線を介して前記管理者端末のデータ感知受信部に送信することを可能とすることを特徴とする請求項１〜請求項４に記載の音声入力ホームページ発信管理システム。【００１２】前記ウェブサーバは、データ受信感知部を有し、前記データ受信部で受信した前記テキスト入力生成部で生成された前記ウェブテキストデータが前記ウェブサーバの前記データ受信部で受信すると受信信号を該データ受信感知部に送信し、該データ受信感知部から通信回線を介して前記管理者端末のデータ感知受信部に送信することを可能とすることを特徴とする。【００１３】前記ウェブサーバの前記データ受信感知部は、前記データ受信部で受信した前記テキスト入力生成部で生成された前記ウェブテキストデータが前記ウェブサーバの前記データ受信部で受信すると前記ウェブテキストデータのテキストデータを前記メール送信部に送信し、メール送信部から通信回線を介して前記管理者端末のメール受信部に送信することを可能とすることを特徴とする。【００１４】前記ホームページ作成者端末は、音声受信部と音声認識部とテキスト入力生成部を有するデータ入力・表示処理部とデータ送信部と音声操作部を有し、前記ホームページ作成者端末の管理者が、データ入力・表示処理部やデータ送信部のプログラムの操作を前記ホームページ作成者端末に接続されたマイクから音声で行うと音声受信部で該音声を受信し、該音声の信号を音声認識部を経由して、音声操作部に送信し、該信号によってデータ入力・表示処理部とデータ送信部の操作を実施することを可能とすることを特徴とする。【００１５】前記ホームページ作成者端末の前記音声認識部と、前記文字入力生成部を有する前記データ入力・表示処理部と前記音声ファイル生成部は、音声データ処理部として前記ウェブサーバに有る構成として、
前記音声認識部は、前記音声受信部から受信した前記マイクから入力された音声を前記データ送信部に送信し、通信回線を介して前記ウェブサーバの前記データ受信部に送信し、音声データ処理部で前記マイクから入力された音声を、ウェブテキストデータに変換処理と音声ファイルを生成し、送信保存される構成であり、前記データ入力・表示処理部は、前記ホームページ作成者端末からの前記ウェブサーバへのアクセスにより、前記ホームページ作成者端末から通信を介して操作することを可能とすることを特徴とする。
【発明の効果】
【００１６】  上記構成の本発明に係る音声入力ホームページ発信管理システムは、次のような効果を奏する。
（１）ホームページの作成者が、ホームページを作成及び更新するためにマイクが接続されたホームページ作成者端末で、マイクでニュースの題名や文章を発声して音声からテキストデータに変換しても１００％発声した言葉を意図するテキストに変換することはできないためそのままのテキストでは、正式なホームページとして発信することはできないが、ホームページの作成者が発声した音声ファイルと音声認識システムで音声をテキストデータに変換したデータをウェブサーバに送信登録し、データを管理する管理者が管理者端末から、登録されたホームページ作成者のテキストデータと音声データの一覧表示画面にアクセスを可能とし、音声を再生して登録されたテキストデータが相違していることを照合し、修正し正式なウェブテキストデータとして活用すれば、文字入力におけるキーボード操作やパネルタッチ式のキータッチ操作をできない場合や手や目の不自由な障害者でも正式なホームページの発信が可能となる。【００１７】（２）ホームページ作成者の作成したテキストデータを即時的に発信するため、ホームページ作成者がホームページ作成登録を行ったことをサーバで感知し、データを管理する管理者の管理者端末に音声等で知らせるほか、メールが送られることにより、管理者が、ホームページ作成者が登録したテキストデータと音声データの照合と修正を即時的に行うことをできるようになり、タイムラグをなくすことが可能となり、すばやいホームページ発信が可能となる。【００１８】（３）管理者の管理者端末で、ホームページ作成者が登録したテキストデータと音声データの照合と修正を行い、ウェブサーバにホームページ作成者が登録したテキストデータと管理者が照合・修正した修正後のテキストデータを保存することを可能とすること、及び修正後のテキストデータを機械的にホームページ作成者へメールで送信することを可能とすることによって、ホームページ作成者が正式なテキストデータでの発信の確認ができること、及び管理者の照合・修正サービスを統計的に把握することが可能となり、サービスに課金することも可能となる。
【発明を実施するための最良の形態】
【００１９】  本発明に係る音声入力ホームページ発信管理システムを実施するための最良の形態を実施例に基づき図面を参照して、以下説明する。
【実施例１】
【００２０】（構成）
本発明に係るウェブカメラ買物システムの実施例１を図１〜４により説明する。図１は、本発明に係る音声入力ホームページ発信管理システムの全体構成を示すブロック図である。本発明に係る音声入力ホームページ発信管理システムは、インターネット（他の通信回線でもよい。）１を介して、マイク２が接続された複数のホームページ作成者端末３、ウェブサーバ４と管理者端末５が接続されて構成される。【００２１】  本発明に係る音声入力ホームページ発信管理システムは、その概要としては、マイク２が接続された複数のホームページ作成者端末３で、マイク２でホームページを作成するための文章を声で発生すると、ホームページ作成者端末３で音声ファイルと音声認識システムでウェブに登録可能なテキストを生成し、インターネット１を介して、ウェブサーバ４に音声とウェブテキストデータが送信登録され、ウェブサーバ４のテキストデータ照合部１８にデータ一覧表示画面が生成され、管理者端末５から管理者がテキストデータ照合部１８のデータ一覧表示画面にアクセスし、音声認識システムによって生成されたウェブテキストと音声を再生して照合し、相違を修正して修正後ウェブテキストデータによってウェブコンテンツシステム部１７からインターネット１にホームページを正式発信することを可能とするシステムである。【００２２】  本発明の適用できる音声入力によるホームページ発信作業は、通信機能があり端末が音声入力とテキストを入力する機能があれば、パソコンや携帯電話やＰＤＡ（携帯情報端末）等様々な形態の端末が考えられ、利用者も必ずしもパソコンのキーボーやタッチキーの操作をできない人である必要はなく、話ができる環境でマイクとホームページ作成端末が稼動する環境があれば、利用方法も農作業中でも車の運転中でも良い。本実施例１では、一例として、パソコンのマウス操作はできるがキーボードやタッチ式キーを利用できないというホームページ作成者がパソコンを利用してホームページ作成を作成する事例で説明する。以下、本発明に係る音声入力ホームページ発信管理システムを構成する装置について、それぞれその構成を説明する【００２３】マイク：
マイク２は、ホームページ作成者端末３に接続が可能で、ホームページ作成者が声を入力するとホームページ作成者端末３の音声受信部で受信することが可能な音声マイクであり、ホームページ作成者端末３に内臓されている音声マイクでも良い。。【００２４】端末：
ホームページ作成者端末３及び管理者端末５は、それぞれ通常のパソコンが利用され、入力部、出力部、ＣＰＵ、記憶部、表示部（液晶表示装置、ＣＲＴ等）、入力機器（マイク、マウス、キーボード、ペン等）、出力機器（プリンタ等）等を有している。【００２５】  ホームページ作成者端末３は、音声認識部７と、文字入力生成部８を有するデータ入力・表示処理部９と、音声ファイル生成部１０と音声操作部２８を有する音声データ処理部２９を有しており、それぞれにプログラムで構成されている。【００２６】音声認識部７は、音声受信部６からのホームページ作成者が発音した音声をデジタル信号として認識して文章を構成するテキストに変換することが可能なプログラムと文章を構成する単語や文法のデータベースを有する。【００２７】データ入力・表示処理部９は、音声認識部７で音声からテキストに変換されたテキストデータをホームページに発信可能なウェブテキストデータとして処理するプログラムとインターネットでデータを表示することや表示の操作を可能とするプログラムと、音声受信部６における音声入力の開始や終了やウェブテキストデータの生成開始の操作機能や、ホームページ作成者端末３のシステム機能であるインターネットを介してのデータを送信を可能とするデータ送信部の操作機能を有するプログラムで構成されており、ホームページ作成者端末３の表示画面に操作画面の表示や入力されたテキストデータを表示する機能もある。【００２８】文字入力生成部８は、データ入力・表示処理部９の内部にあり、ホームページ作成者端末３の表示画面に表示され、音声認識部７で音声からテキストに変換されたテキストデータをホームページに発信可能なウェブテキストデータとして生成表示することができ、別途、ホームページ作成に必要な画像や動画を入力表示することも可能である。【００２９】音声ファイル生成部１０は、マイク２からホームページ作成者端末３の音声受信部６で受信した音声データをウェブで再生可能な音声ファイルに生成するプログラムであり、生成された音声ファイルは、データ入力・表示処理部９の送信操作によって、生成されたウェブテキストデータとともにデータ送信部からウェブサーバに送られる。【００３０】なお、ホームページ作成端末３は、インターネット回線に接続が可能で、マイクが接続可能な端末又はマイク機能を内蔵している端末で、音声入力と再生機能、文字の入力機能やウェブデータの表示機能がある端末であれば、パソコンに限らず、ＰＤＡ（携帯情報端末）や携帯電話でも良い。【００３１】管理者端末５は、通常のパソコンであり、管理者端末５のデータ感知受信部は、ウェブサーバ４のデータ受信感知部２４から送られるデータ受信信号を受信して画像や文字の点滅や音声で受信を知らせることが可能なプログラムである。【００３２】ウェブサーバ：
インターネット上にホームページやプログラムを提供するサーバ（コンピューター）であり、インターネットに通信可能な機能やＨＴＭＬドキュメントとその配下の個々の情報ファイル（テキスト・画像・音声・動画ファイル情報）処理し、また、ＨＴＭＬドキュメントに各種処理を組み込み、ＣＧＩスクリプトやＪａｖａ  Ｓｅｒｖｌｅｔ（サーバ側で実行されるＪａｖａプログラム）と呼ばれるＷｅｂ画面に連動した動的処理を行う事も可能である。ＣＧＩ処理においてはＰｅｒｌ・Ｒｕｂｙ・ＰＨＰなどのスクリプト言語によって開発されている。【００３３】ウェブサーバ４は、ウェブサーバのシステム基本機能は、当然あるものとしてデータ受信部１３と、ウェブデータ部１４とテキストデータ照合部１８とデータ受信感知部２４がある。【００３４】ウェブデータ部１４は、音声ファイルデータ部１５とテキストデータ部１６とウェブコンテンツシステム部１７とがあり、音声ファイルデータ部１５は、ホームページ作成者端末３からウェブサーバ４に送られた音声ファイルを保存処理し、テキストデータ部１６は、ホームページ作成者端末３からウェブサーバ４に送られたウェブテキストデータを保存処理し、ウェブコンテンツシステム部は、ホームページ発信に必要な個々の情報ファイル（テキスト・画像・音声・動画ファイル情報）を処理するシステムでありコンテンツマネージメントシステム（ＣＭＳ）機能も有している。【００３５】なお、ウェブデータ部１４は、図３のように異なる複数のホームページ作成者端末のホームページ作成者ごとにウェブサーバ４内に、複数、別々に作成され、ホームページ作成者ごとにＩＤとパスワードが別々に発行される機能を持っている。【００３６】図３は、異なる複数のホームページ作成者端末のホームページ作成者ごとにウェブサーバ４内に、複数、別々にウェブデータ部が作成されているイメージ図で、作成者端末ＡのＩＤとパスワードに対して、ウェブサーバにウェブデータ部（Ａ）が設置される。ウェブデータ部（Ａ）は、図１のウェブデータ部１４にも記載されているようにウェブコンテンツシステム（ＣＭＳ）を有しており、作成者端末Ａにとっては、ホームページ作成のスペース（データ容量）とホームページを容易に作成のためのシステムを含んだレンタルサーバサービスでもあり、管理者からすると、コンテンツマネージメントシステム機能付、音声入力ホームページ発信機能付のレンタルサーバサービスでもある。【００３７】テキストデータ照合部１８は、テキスト表示部２１と音声出力部２０を有するテキスト・音声データ表示再生部１９と、文字修正生成部２２を有し、ホームページ作成者がホームページ作成者端末３から登録し、テキストデータ部１６と音声ファイルデータ部１５に登録されたウェブテキストデータと音声ファイルを図２のように、日時や作成者やＵＲＬやＥ−ｍａｉｌや題名や内容や修正や音声ファイル等の複数のホームページ作成者の複数の登録データを一覧表示することが可能であり、図２の「修正」３１の表示を押すとウェブテキストデータが入力された一覧データ表示画面が表示され、「音声ファイル」３２の表示を押すとインターネットで再生可能な形式での音声が再生される。【００３８】図２の一覧デ���タ表示画面の「修正」３１表示を押すとウェブテキストデータが入力された表示画面が表示され、再生された音声と表示されているウェブテキストデータの単語や文章が異なる場合に、表示された入力枠でテキストの変更を行うことが可能であり、また、データの変更確認・完了送信機能を有する。【００３９】なお、テキスト・音声データ表示生成部１９で表示される図２の一覧データ表示画面へのアクセスは、管理者端末５を管理する管理者だけがＩＤとパスワードを利用することによってアクセスすることができる。【００４０】文字修正生成部２２は、テキスト・音声データ表示生成部１９で表示される図２の一覧データ表示画面で、ホームページ作成者がホームページ作成端末３で、入力した音声ファイルと音声からテキストに変換生成されたウェブテキストデータを、管理者が照合、修正した修正後のウェブテキストデータを生成し、該当するホームページ作成のテキストデータ部１６に登録する機能を有している。【００４１】また、作成者がホームページ作成端末３で、入力した音声ファイルと音声からテキストに変換生成されたウェブテキストデータを、管理者が照合、修正した場合に、修正後のウェブテキストデータをメールデータとして生成し、ウェブサーバ４があるサーバ（コンピュータ）に別に設置されているメールサーバのメール送信部２３に送信し、ホームページ作成者端末３のメール受信部１２に送信することを可能としている。【００４２】ウェブサーバ４のデータ受信感知部２４は、ホームページ作成者がホームページ作成者端末３で音声入力によるホームページ作成作業を行った場合、ウェブサーバ４のデータ受信部１３で受信信号を感知し、受信した感知信号を管理者端末５のデータ感知受信部に送信することを可能としている。【００４３】（作用）
本発明に係る音声入力ホームページ発信管理システムの構成をさらに明確にするために、図１〜３と、図４に示すフローチャートを参照して、本発明の作用を説明する。
（音声入力とウェブテキストデータと音声データファイル生成）
マイク２の音声入力からウェブテキストデータと音声データファイル生成しウェブサーバ４に送信するところまでを図４（ア）〜（キ）に沿って説明する。
（ア）ホームページ作成者端末３の操作者（以下、単に「操作者」という。）は、ホームページ作成者端末３を始動し、接続されたマイクを始動し、データ入力・表示処理部９を始動する作業をスタートする。【００４４】（イ）操作者は、始動したマイク２にホームページにテキストとして掲載したい題名や文章を音声で読み上げ、音声を入力する。【００４５】（ウ）操作者が入力した音声は、音声受信部６で受信され音声認識部７に送信される。【００４６】（エ）音声認識部７に送信された音声は、音声信号をプログラムが解析しテキストに変換され、文字入力生成部に送信される。音声認識部７で、音声信号は、プログラムによって音声認識部７にある単語辞書や文法データと照合解析し、音声信号はテキストに変換される。【００４７】（オ）音声認識部７でテキストに変換されたデータは、データ入力・表示処理部９の文字入力生成部８のテキスト入力枠に自動的に挿入され、文字入力生成部８の表示画面にある実行表示を押すとウェブテキストデータが生成される。ここで、ウェブテキストデータとは、ホームページに表示可能はＨＴＭＬ言語形式のテキストデータのことを言う。【００４８】また、前記の「文字入力生成部８の表示画面にある実行表示を押す」における実行表示を押す行為を、マイク２における音声入力で行うことも可能である。すなわち、実行表示を押す代わりに、マイク２に「実行」と発音すると、音声受信部６で音声を受信し、音声認識部７で音声をテキストに変換し、該テキストをデータ入力・表示処理部９に送信することによってデータ入力・表示処理部９内に設置されている音声入力操作指令プログラムが起動し、実行表示を押す行為を音声入力操作指令プログラムが行うことが可能である。【００４９】（カ）一方、（ウ）で、音声受信部６に受信された音声は、音声ファイル生成部１０に送信され、音声ファイル生成部１０で、インターネットで再生できる音声データファイルは生成される。【００５０】（キ）前記文字入力生成部８の表示画面にある送信表示を押すとウェブテキストデータとと音声ファイル生成部１０の音声データを同時にウェブサーバ４に送信することが可能となっている。なお、図１において文字入力生成部８からの操作信号は、音声ファイル生成部１０にも送信されるようになっており、また、音声ファイル生成部の音声ファイルは、文字入力生成部８でも画面付属の音声ファイル再生表示を押すことによって音声再生することができる。【００５１】（テキスト：音声データの照合と修正と発信）
（ク）ウェブサーバ４のデータ受信部１３で、作成者端末３から送信されたウェブテキストデータと音声ファイルデータを受信する。【００５２】（ケ）データ受信部１３で受信したウェブテキストデータは、作成者端末３にＩＤが該当するウェブデータ部１４のテキストデータ部１６に登録され、同様にデータ受信部１３で受信した音声ファイルデータは、音声ファイルデータ部１５に登録される。
ここで、登録されたウェブテキストデータと音声ファイルデータは、既にウェブデータとなっており、ウェブコンテンツシステム部１７に連動しており、ウェブコンテンツシステム部１７で正式発信はされていないが既にホームページは作成されている。【００５３】（コ）テキストデータ部１６と音声ファイルデータ部１５は、テキストデータ照合部１８のテキスト・音声データ表示生成部１９とシステム連動しており、テキスト・音声データ表示生成部１９で、図２の一覧データ表示画面に追加登録され、表示される。【００５４】（サ）管理者端末５から管理者がウェブサーバ４のテキストデータ照合部１８にアクセスし、図２の一覧データ表示画面を表示させる。ここで、ウェブサーバ４のテキストデータ照合部１８にアクセスには、ＩＤとパスワードの認証が必要である。【００５５】ここで、管理者は、図２の一覧データ表示画面の新たに登録されたデータの修正表示を押し、ウェブテキストデータ修正画面が表示され、表示されているウェブテキストデータと、音声フィル表示を押し登録された音声を再生して、作成者が入力した音声と題名や文章のウェブテキストに相違がないかの照合確認を実施し、正しくないテキストをウェブテキストデータ修正画面で修正する。【００５６】ここで、テキストデータ照合部１８の図２の一覧データ表示画面には、ホームページ作成者が音声入力して音声認識部でテキストに変換されたテキストデータとその時に発声された音声が音声データファイルとして保存され、実際の作成者の音声を聞いて修正が可能になるため作成者が意図する正確な文章に修正することができる。また、複数のホームページ作成者の音声入力によるウェブテキストデータと音声データファイルデータの一覧が生成表示されているため効率的に複数のウェブ作成者のデータを管理することができる。【０５７】なお、管理者端末５の管理者は、ウェブサーバ４の管理者からＩＤとパスワードを発行され、ウェブサーバ４のテキストデータ照合部１８にアクセスを認められたものであれば、個人の管理者やデータセンター業務を行う事業者やレンタルサーバー業務を行う事業者等いずれの管理者であっても良い。【００５８】（シ）次に前記のウェブテキストデータ修正画面には、修正実行ボタンが設置されており修正実行ボタンを押すと文字修正生成部２２により、新たな修正後のウェブテキストデータが生成され、ウェブデータ部１４のテキストデータ部１６に新たなに修正後ウェブテキストデータが保存される。【００５９】（ス）修正実行ボタンを押すと同時に、文字修正生成部２２からウェブデータ部１４のウェブコンテンツシステム部１７にホームページ信号が送られ、修正後ウェブテキストデータによるホームページが発信され、（セ）完了する。【００６０】次に、管理者が作成者の音声入力によるホームページ作業を行い、すばやく修正を行うことを可能とする作用について、図４（ソ）〜（ト）に沿って説明する。
（作成者の登録データの受信感知と管理者への連絡）
（ソ）ウェブサーバ４のデータ受信部１３で、作成者端末３から作成者が送信したウェブテキストデータと音声データファイルを受信すると受信信号がデータ受信感知部２４に送信される。【００６１】（タ）データ受信感知部２４は、前記受信信号を感知するとメール送信信号をメールサーバのメール送信部２３に送信し、管理者端末のメール受信部２７にホームページ作成者が音声入力により、ホームページを作成した旨の連絡メールを発信することが可能となっている。【００６２】（チ）管理者端末５のメール受信部２７で該連絡を受信することによって管理者は、ホームページ作成者が音声入力により、ホームページ作成データを登録したことを知ることが可能である。メールは、もちろん管理者の携帯電話へのメールでも可能とする。（チ）をもって（ト）完了となる。【００６３】（ツ）一方、ウェブサーバ４のデータ受信部１３からの前記受信信号をデータ受信感知部２４で感知すると該感知信号を管理者端末５のデータ感知受信部２５に送信する。【００６４】（テ）管理者端末５のデータ感知受信部２５は、パソコンのウェブ表示画面上に画像等の点滅信号を表示、又は音声出力可能とするプログラムが設置されており管理者端末５の管理者に知らせることを可能とする。（テ）をもって（ト）完了となる。【００６５】なお、管理者端末５に別途、音声出力の拡声器や点滅ライトが付属し該拡声器や点滅ライトが稼動するといった構成とすることも可能である。【００６６】（作成者への修正内容の連絡）
次に、（シ）において管理者が作成者の登録したウェブテキストデータを前記のウェブテキストデータ修正画面において修正し、前記の修正実行ボタンを押した場合に作成者にメールが送信される作用について図４の（ナ）〜（ヌ）において説明する。
（ナ）管理者が作成者の登録したウェブテキストデータを前記のウェブテキストデータ修正画面において修正し、前記の修正実行ボタンを押した場合に文字修正生成部２２により、修正後ウェブテキストデータが記載されたメール文章が生成され、メールサーバメール送信部２３に該メール文章が送信され、メールサーバメール送信部２３は、作成者端末３のメール受信部１２にメールを送信する。【００６７】（ニ）管理者端末のメール受信部１２は、該メールを受信し、管理者は修正内容を把握することができる。（ニ）をもって（ヌ）完了となる。【００６８】以上、本発明を実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６９】  本発明に係る音声入力ホームページ発信管理システムは、以上のようにホームページ作成者が、パソコンのキーボードを利用できない場合やタッチ式のテキスト入力をできない場合でも、管理者がすばやく、音声入力した作成者の実際の音声と、音声認識システムでテキスト変換されたテキストデータの相違を照合して正確な修正を可能としてホームページの発信が可能であり、ホームページ発信を補助するデータセンター事業やコンテンツマネージメントシステム付のレンタルサーバー事業者や高齢者や障害者を支援する事業に適用することができる。
【図面の簡単な説明】
【００７０】
【図１】本発明の音声入力ホームページ発信管理システムの実施例１、２全体構成を示すブロック図である。
【図２】実施例１において、テキスト・音声データ表示生成部において生成される管理者が照合と修正を行うホームページ作成者の登録データの一覧データ表示画面を示す図である。
【図３】実施例１において、複数のホームページ作成者の作成者端末ごとに、ウェブサーバ上にホームページを発信することが可能なウェブデータ部が複数設定されることを説明するブロック図である。
【図４】実施例１の（音声入力とウェブテキストデータと音声データファイル生成）と（テキスト：音声データの照合と修正と発信）と（作成者への修正内容の連絡）と（作成者への修正内容の連絡）の作用を説明するフローチャートである。
【符号の説明】
【００７１】１  インターネット
２  マイク
３  複数のホームページ作成者端末
４  ウェブサーバ
５  管理者端末
６  音声受信部
７  音声認識部
８  文字入力生成部
９  データ入力・表示処理部
１０  音声ファイル生成部
１１  データ送信部
１２  メール受信部
１３  データ受信部
１４  ウェブデータ部
１５  音声ファイルデータ部
１６  テキストデータ部
１７  ウェブコンテンツシステム部
１８  テキストデータ照合部
１９  テキスト・音声データ表示生成部
２０  音声出力部
２１  テキスト表示部
２２  文字修正生成部
２３  メールサーバメール送信部
２４  データ受信感知部
２５  データ感知受信部
２６  ウェブ表示部
２７  メール受信部
２８  音声操作部
２９  音声データ処理部
【図１】
2012033131.tif 000003
【図２】
2012033131.tif 000004
【図３】
2012033131.tif 000005
【図４】
2012033131.tif 000006